(57)【要約】
【課題】　木造建物内部の建材を張り替えることなく、容易に且つ低コストで施工できるとともに、床下及び室内空間の断熱・気密効果を十分に発揮することができる木造建物の断熱構造を提供する。
【解決手段】　木造建物の基礎１の外側を、板状の断熱材からなる基礎用断熱材２１で覆うとともに、この基礎用断熱材２１の下側の一部を、地盤面ＧＬより下に埋設するようにし、また外壁７，８の外側を、板状の断熱材からなる外壁用断熱材２２で覆い、更に間仕切壁９，１０の上側を、綿状の通気止め材２５で覆うようにした。
【選択図】　　　図１
0003100563.tif 000002
【実用新案登録請求の範囲】
【請求項１】
木造建物の断熱性能を所定に保持する断熱構造であって、
　前記木造建物のうちの基礎の外側を、板状の断熱材からなる基礎用断熱材で覆うことを特徴とする木造建物の断熱構造。
【請求項２】
前記基礎用断熱材の下側の一部を、地盤面下に埋設することを特徴とする請求項１に記載の木造建物の断熱構造。
【請求項３】
前記木造建物のうちの外壁の外側を、板状の断熱材からなる外壁用断熱材で覆うことを特徴とする請求項１又は請求項２に記載の木造建物の断熱構造。
【請求項４】
前記外壁用断熱材の外側に、該外壁用断熱材との間に所定の間隙の通気層が形成されるようにして、外装材を配置したことを特徴とする請求項３に記載の木造建物の断熱構造。
【請求項５】
前記木造建物のうちの間仕切壁の上側を、綿状の通気止め材で覆うことを特徴とする請求項１〜４の何れかに記載の木造建物の断熱構造。
【請求項６】
前記木造建物のうちの天井の上側に、綿状の断熱材からなる天井用断熱材を装入したことを特徴とする請求項５に記載の木造建物の断熱構造。
【考案の詳細な説明】
【技術分野】
【０００１】
　本考案は、木造建物の断熱構造に関するものである。
【背景技術】
【０００２】
　既存の木造建物の断熱・気密改修工事には多種、多用な素材や手法が用いられてきたが、特に気密改修工事において完璧に改修することが困難である。それは、床下土間防湿層の施工や、床・壁・天井の連続した防湿・気密層の施工を行うために内部全ての建材・下地材の張り替えが必要となっていたためである。このような改修に要する作業・費用は膨大であるにも関わらず、それでも連続した完璧な防湿・気密は殆ど不可能とされてきていた。その結果、中途半端な断熱・気密改修工事となり、壁内部、床下・小屋裏などで結露の発生を誘発させているのが現状である。
【０００３】
　また、外断熱改修工事として、基礎、外壁、屋根面の建物全体を断熱・気密材で覆う工法も行われているが、高コストや過剰性能となることからあまり実用化には至っておらず、実用化されているとしても、中途半端な工事となっている場合が多い。さらに、床や壁の表面温度を上昇させ輻射熱効果を高める工法は、居住者にとって快適な空間を造るだけでなく、暖冷房コストの削減にもつながるといった利点があるものの、実施例は少ない。
【考案の開示】
【考案が解決しようとする課題】
【０００４】
　本考案は上記事情に鑑みてなされたもので、木造建物内部の建材を張り替えることなく、容易に且つ低コストで施工できるとともに、床下及び室内空間の断熱・気密効果を十分に発揮することができる木造建物の断熱構造を提供することを目的とする。
【課題を解決するための手段】
【０００５】
　請求項１に記載の考案は、木造建物の断熱性能を所定に保持する断熱構造であって、前記木造建物のうちの基礎の外側を、板状の断熱材からなる基礎用断熱材で覆うことを特徴とする。
【０００６】
　請求項２に記載の考案は、請求項１に記載の木造建物の断熱構造であって、前記基礎用断熱材の下側の一部を、地盤面下に埋設することを特徴とする。
【０００７】
　請求項３に記載の考案は、請求項１又は請求項２に記載の木造建物の断熱構造であって、前記木造建物のうちの外壁の外側を、板状の断熱材からなる外壁用断熱材で覆うことを特徴とする。
【０００８】
　請求項４に記載の考案は、請求項３に記載の木造建物の断熱構造であって、前記外壁用断熱材の外側に、該外壁用断熱材との間に所定の間隙の通気層が形成されるようにして、外装材を配置したことを特徴とする。
【０００９】
　請求項５に記載の考案は、請求項１〜４の何れかに記載の木造建物の断熱構造であって、前記木造建物のうちの間仕切壁の上側を、綿状の通気止め材で覆うことを特徴とする。
【００１０】
　請求項６に記載の考案は、請求項５に記載の木造建物の断熱構造であって、前記木造建物のうちの天井の上側に、綿状の断熱材からなる天井用断熱材を装入したことを特徴とする。
【考案の効果】
【００１１】
　本考案に係る木造建物の断熱構造においては、上記の如き構成を採用しているので、木造建物内部の建材を張り替えることなく、容易に且つ低コストで施工できるとともに、床下及び室内空間の断熱・気密効果を十分に発揮することができる。
　また、新築の場合のみならず、既存の木造建物に断熱・気密の改修工事を施工する際にも、既設の内部建材を張り替えることなく工事を行うことができるため、住人が居住したままで施工することができる。
　更に、基礎の外張り断熱材や既存床のすき間の有効利用により、床下環境の改善が図られるため、床下土間に防湿フィルムを施工する等といった措置を不要とすることができ、既存の断熱材や、開口部の断熱性能等を利用した断熱改修工事ができる。
　更に、天井の気密化工事を行わなくても、温熱・気密・換気性能が低下しない建物構成とすることができる。
　更に、従来の高断熱・気密化改修工事と比較して費用が少なく、作業も簡略化できるので工期短縮となる。
　更に、断熱性の向上と冬期の暖房により、床・壁表面温度が高くなり居住者の快適性を向上させることができるとともに、断熱・気密性能の向上により、暖冷房コストを抑えることができる。
　更に、改修後の断熱性能を容易にシミュレーションできることより、過剰な断熱やコストの上昇を抑えることができる。
【考案を実施するための最良の形態】
【００１２】
　以下、本考案の実施の形態について、図面を用いて説明する。
ここでは、既存の２階建て木造建物に断熱・気密改修工事を施工して、断熱構造とする場合を例にとって説明する。
　図１において、符号１は、地盤Ｇに埋設された基礎、符号２は、基礎１の上部に配設された土台であり、この土台２の上部に、複数の柱及び間柱（共に図示省略）が立設されている。符号３は、１階と２階との階間部に配設された胴差等の横架材を、符号４は、２階上部に配設された横架材を各々示しており、各々が前記柱あるいは前記間柱と接合されている。なお、横架材３，４のうちで垂木５，６を各々受けるもの、つまり桁として機能する横架材は、符号３Ａ，４Ａとして図示している。
【００１３】
　柱、間柱と、土台２、横架材３，３Ａ，４，４Ａとによって矩形状に構成された部分には、外壁あるいは間仕切壁（内壁）が、各々配設されている。符号７は、１階部分の外壁、符号８は、２階部分の外壁、符号９は、１階部分の間仕切壁、符号１０は、２階部分の間仕切壁を、各々示している。これら外壁７，８及び間仕切壁９，１０は、２枚のボードが所定の間隙を隔てて配置された中空構造となっている。なお、実際には筋交い等が配設され補強されているが、ここでの図示は省略する。また、符号７Ｗは、外壁７に固定されているサッシ窓である。
【００１４】
　その他、符号１１で示す１階部分の床、符号１２で示す２階部分の床、符号１３で示す１階部分の天井、符号１４で示す２階部分の天井が、木造建物内部の建材として、各々配設されている。なお、床１１の下側には床断熱材１１Ｈが敷設されており、床下部と室内空間との間の熱移動が抑制されるようになっている。この床断熱材１１Ｈは、木造建物に既存のものであり、後述するように、改修工事施工後においても、そのまま用いるものである。
【００１５】
　次に、こうした構成の既存２階建て木造建物への、断熱・気密改修工事の施工について、図２乃至図７も参照して説明する。具体的には、基礎１及び外壁７の外側を断熱材で覆い、外壁７，８及び間仕切壁１０の上側を通気止め材で覆うとともに、天井裏つまり天井１３，１４の上側に断熱材を装入する。
【００１６】
　先ず、基礎１の外側への断熱材の取り付けについて、図１及び図４を用いて説明する。図４には、基礎１と外壁７との取合い部について、より詳細に示している。
　先ず、土台２の外側に、角材等からなる断熱材受け材３２を留め付けておく。次に、基礎１の外側に、基礎用断熱材２１を貼り付ける。この基礎用断熱材２１は、ある程度の厚さを有する、板状に成形された断熱材である。
【００１７】
　このとき、断熱材受け材３２の下端側、つまり基礎１の上端部近傍位置から、地盤面ＧＬ下１０ｃｍ程度までを、基礎用断熱材２１で覆うようにする。このように、基礎用断熱材２１の下側の一部を地盤面ＧＬより下に埋設し、地盤Ｇ内にまで断熱材を延在させることで、床断熱材１１Ｈより下の空間、つまり床下部の断熱性を著しく向上させることができる。なおこの基礎用断熱材２１は、地盤Ｇ内における基礎１の底盤まで延在させる必要はない。これは、地盤面ＧＬ以下の部分における熱損失は、全体の１％程度しかないためであり、施工した場合のコストや労力等に見合うだけの顕著な効果が殆ど見込めないためである。
【００１８】
　このように、基礎１の外側を基礎用断熱材１で覆うことで、床下部の高い断熱性を確保することができるので、床下の地盤面ＧＬの防湿措置は、特に行わない。これは、後述するように、床下部と室内空間との温熱環境をほぼ同様にすることができるので、床下部における結露の発生を極力防止することができるためである。なお、室内空間と同じ温熱環境とするために、床１１の隙間を利用するか、あるいは床１１に図示しないガラリを設ける等して、室内空間と床下部との空気の流通を図るようにするとともに、既存の床断熱材１１Ｈはそのまま利用することとする。
【００１９】
　そして基礎１仕上げとして、少なくとも地盤面ＧＬよりも上側における基礎用断熱材２１の外側に、化粧板としてのモルタル３２を貼り付ける。
【００２０】
　次に、外壁７，８の外側への断熱材の取り付けについて、図１〜図４、図７を用いて説明する。図２には、屋根（２階屋根）と外壁８との取合い部について、また図３には、図１には示していない階間部、つまり１階部分の外壁７と２階部分の外壁８とが段差無く連続する階間部について、更に図７には、下屋部について、各々より詳細に示している。なお図示は省略するが、１階屋根と外壁７との取合い部に関しても、図２と同様である。
【００２１】
　既存の外装材（図示省略）を取り外した後、外壁７の外側に、合板ｗを、土台２や柱といった躯体に釘等で留め付け、継目を気密テープｔで塞いでおく。こうしておいて、合板ｗの外側に外壁用断熱材２２を貼り付ける。この外壁用断熱材３２は、ある程度の厚さを有する、板状に成形された断熱材である。
【００２２】
　桁４Ａの外側に、角材等からなる断熱材受け材３４Ａを留め付けておく。次に、外壁８の外側に、外壁用断熱材２２を貼り付ける。すなわち、外壁用断熱材２２を、合板ｗに貼り付けた気密テープｔに仮留めし、継目を気密テープｔを用いて同様に処理した後に、図示しない断熱ビス等で桁４や柱といった躯体に留め付ける。
【００２３】
　次に、外壁用断熱材２２の外側に、この外壁用断熱材２２との間に所定の間隙の通気層２４が形成されるようにして、外装材２３を取り付ける。すなわち、外壁用断熱材２２外側の所定距離だけ離間した位置に、角材等からなる胴縁３９を設置し、外装材２３をこれに取り付けることで、外壁用断熱材２２と外装材２３とに所定間隙の通気層２４が形成されるようになっている。
【００２４】
　この通気層２４は、外壁用断熱材２２の外側に発生した結露や、外装材２３から浸入してきた雨水等を外部へと排出するための間隙部分であって、その厚さは１５〜２０ｍｍ程度であればよい。通路層２４内の水は、断熱材受け材３２の外側、つまり通気層２４の下端部に形成された通気用水切２４ａから、外部へと排出される。
【００２５】
　なお、既存の外装材がモルタルである場合等には、その上より縦胴縁を所定の間隔で打ち付け、その間に隙間無く外壁用断熱材を施工し、その上に外装材を貼り付けることも可能である。また、外壁７，８内に既存の断熱材が設けられている場合において、この断熱材に垂れ下がりや隙間が生じている場合は、撤去する。一方、既存の断熱材の性能維持が可能な場合には、そのまま利用することで、外壁用断熱材の厚さをより薄くすることも可能である。
【００２６】
　また、図３に示す階間部においては、階間部に位置する横架材である胴差３の外側に、土台２等の場合と同様に、角材等からなる断熱材受け材３３を留め付けておく。そして、上下の外壁７，８の外側に位置する合板ｗを、胴差３や柱といった躯体に釘等で留め付け、継ぎ目を気密テープｔで処理しておく。
【００２７】
　外壁用断熱材２２，２２を、合板ｗに貼り付けた気密テープｔに仮留めし、継目を気密テープｔを用いて同様に処理した後に、図示しない断熱ビス等で胴差３や柱といった躯体に留め付ける。この階間部においては、断熱材受け材３３を介して外壁用断熱材２２，２２が上下に連続するとともに、外装材２３は略面一となって連続し、通気層２４も上下に連続するようになっている。
【００２８】
　更に、図７に示す下屋部においては、外壁用断熱材２２を、２階部分の外壁８に沿わせて可能な限り下方に、つまり１階部分の天井１３の直上部近傍位置まで延在させるように配置して、天井１３との間隙を極力小さくするようにする。そして、外壁用断熱材２２と天井１３との間に隙間がある場合には、発泡ウレタンｕで処理し、隙間を的確に埋めるようにする。
【００２９】
　更に、外壁７，８及び間仕切壁１０の上側への通気止め材の設置について、図１、図５及び図６を用いて説明する。図５及び図６には、天井１４と間仕切壁１０との取合い部について、より詳細に示している。
　外壁７，８内の上部に、角材等からなる通気止め材３８を設置する。こうすることで、外壁７，８内部と天井裏との間における空気の流通はほぼ遮断されて、極めて高い断熱・気密効果を得ることができる。
【００３０】
　また、間仕切壁１０の上側には、図５に示すように、通気止め材２５を設置する。この通気止め材２５は、袋詰めされた綿状のグラスウールから構成されており、この通気止め材２５を圧縮させて設置した後、袋に穴を開けて膨張させて、間仕切壁１０上側の開口部を塞ぐようにする。なお、通気止め材２５と間仕切壁１０との間に隙間が生じている場合には、発泡ウレタン（ここでは図示省略）で処理して的確に埋めるようにする。こうすることで、間仕切壁１０内部と天井裏との間における空気の流通はほぼ遮断されて、極めて高い断熱・気密効果を得ることができる。
【００３１】
　なお、図５に示した例は、間仕切壁１０の改修を行わない場合に関するものであるが、間仕切壁１０の改修を行う場合には、図６に示すようにすることが好ましい。この場合においては、間仕切１０を設置し、その上側に角材等からなる通気止め材３５を設置して、上側の開口部を塞ぐようにする。なお、通気止め材３５と間仕切壁１０との間に隙間がある場合には、発泡ウレタンｕで処理し、隙間を的確に埋めるようにする。こうすることで、間仕切壁１０内部と天井裏との間における空気の流通はほぼ遮断されて、極めて高い断熱・気密効果を得ることができる。
【００３２】
　こうして、基礎用断熱材２１及び外壁用断熱材２２を取り付けるとともに、外壁７，８、間仕切壁１０の各々に通気止め材３８，２５，３５等を取り付けておいて、下屋部及び屋根部の天井１３，１４の上側に、天井用断熱材２６を各々装入する。この天井用断熱材２６は、綿状のグラスウールから構成されており、天井裏に吹き込んで充填・装入されている。このように、天井用断熱材２６としての綿状の断熱材を均一に吹き込み、所定の断熱効果が得られるようにして、あえて気密層は設けていない。これは上記したように、基礎１及び外壁７，８の外側に各々貼り付けている基礎用断熱材２１及び外壁用断熱材２２によって、建物上部からの漏気は非常に小さくなるため、通気止めが行い得るものであれば足りるからである。
【００３３】
　このような断熱・気密改修工事を施工することで、床下部、室内及び天井裏の何れにおいても、防湿・気密フィルムを貼り付ける等といった、防湿措置を不要とすることができる。
【００３４】
　なお、この断熱・気密改修工事の施工は、余分な工事を排除しながら、新築住宅の高断熱・高気密基準（相当隙間面積５ｃｍ２／ｍ２以下）に適合するように順次行っていく必要がある。また、既存の断熱材や開口部性能等を考慮した建物全体の熱損失計算を予め行い、過剰な断熱・気密性能となったり施工コストが過度に上昇したりすることを抑制しながら、適宜施工を行っていく必要がある。
【００３５】
　本実施形態に係る木造建物の断熱構造においては、基礎１の外側を、板状の断熱材からなる基礎用断熱材２１で覆うようにしているので、床下部の外気に対する断熱性を著しく高めることができる。
【００３６】
　また、基礎用断熱材２１の下側の一部を、地盤面ＧＬより下に埋設するようにしている。このため、外気に対する床下部の断熱性を著しく向上させることができ、床下部と室内空間との温熱環境をほぼ同様にすることができる。これにより、床下部における結露の発生を極力防止することができる。
【００３７】
　更に、外壁７，８の外側を、板状の断熱材からなる外壁用断熱材２２で覆うようにしているので、床下部及び室内空間の外気に対する断熱性を、より的確に高めることができる。
【００３８】
　更に、外壁用断熱材２２の外側に、この外壁用断熱材２２との間に所定の間隙の通気層２４が形成されるようにして、外装材２３を配置するようにしている。このため、外壁用断熱材２２の外側に発生した結露や、外装材２３から浸入してきた雨水等を、外部へと的確に排出することができる。
【００３９】
　更に、間仕切壁９，１０の上側を、綿状の通気止め材２５で覆うようにしているので、、簡易な施工で、間仕切壁１０内部と天井裏との間における空気の流通を的確に遮断することができ、極めて高い断熱・気密効果を得ることができる。
【００４０】
　更に、天井１４の上側に、綿状の断熱材からなる天井用断熱材２６を装入するようにしているので、簡易な施工で、間仕切壁１０内部と天井裏との間における空気の流通を的確に遮断することができ、極めて高い断熱・気密効果を得ることができる。
【００４１】
　なお本実施形態においては、本考案に係る断熱構造を、既存の木造建物に適用した場合を例にとって説明したが、新築の木造建物にも適用が可能であることは言うまでもない。
【図面の簡単な説明】
【００４２】
【図１】本考案の一実施形態に係る木造建物の断熱構造を示す断面図である。
【図２】図１の一部を拡大して示す部分断面図である。
【図３】図１の一部を拡大して示す部分断面図である。
【図４】図１の一部を拡大して示す部分断面図である。
【図５】図１の一部を拡大して示す部分断面図である。
【図６】図１の一部を拡大して示す部分断面図である。
【図７】図１の一部を拡大して示す部分断面図である。
【符号の説明】
【００４３】
１　基礎
２　土台
３，３Ａ　横架材
４．４Ａ　横架材
７，８　外壁
９，１０　間仕切壁
１１，１２　床
１３，１４　天井
２１　基礎用断熱材
２２　外壁用断熱材
２３　外装材
２４　通気層
２５　通気止め材
２６　天井用断熱材
Ｇ　地盤
ＧＬ　地盤面
【図１】
0003100563.tif 000003
【図２】
0003100563.tif 000004
【図３】
0003100563.tif 000005
【図４】
0003100563.tif 000006
【図５】
0003100563.tif 000007
【図６】
0003100563.tif 000008
【図７】
0003100563.tif 000009